(57)【特許請求の範囲】
【請求項１】
液透過性のトップシートと、液不透過性のバックシートと、両シート間において少なくとも着用時における股下部相当位置に配設される液体保持性の吸収体とを具備し、レッグ部に腹側レッグ部弾性部材と背側レッグ部弾性部材とが配されている女性用ショーツ型吸収性物品であって、
上記股下部相当位置において、上記吸収体の上記バックシート側に、上記吸収体の長手方向と垂直な方向に直線状に延長させて、少なくとも１本の吸収部弾性部材を、上記吸収体及びこれの両側に位置する上記腹側レッグ部弾性部材と背側レッグ部弾性部材と交差させて配置すると共に、その両端部を上記腹側レッグ部弾性部材と背側レッグ部弾性部材とに接合固着し、
且つ上記吸収部弾性部材が交差する部分における上記吸収体の交差方向中央部分の坪量が、その両側部分の坪量よりも高くなっている女性用ショーツ型吸収性物品。
【発明の詳細な説明】
【０００１】
【発明の属する技術分野】
本発明は、液透過性のトップシートと、液不透過性のバックシートと、両シート間において少なくとも股下部相当位置に配設される液体保持性の吸収体とを具備する女性用ショーツ型吸収性物品に関する。
【０００２】
【従来の技術及び発明が解決しようとする課題】
使い捨ての吸収性物品としては、下着類等に装着して使用される生理用ナプキン、失禁用パッド、パンティーライナー等が知られており、これらは一般に、肌当接面側の液透過層と、非肌当接面側の液不透過層と、液透過層及び液不透過層の間に介在された吸収部とからなる。
【０００３】
また、下着類等を介することなく直接に身体に装着することのできるテープ止めタイプやパンツ型の使い捨ておむつも知られている。
【０００４】
しかしながら、このような使い捨ておむつは、人体から排出される固形分をも効果的に捕捉することができるように、特に臀部や股下部において、吸収体との間に所定の隙間を設けることが好ましい。したがって、これをそのまま吸収体を有する女性用ショーツ型の吸収性物品として応用しても、股下部に十分にフィットしないので、体液や尿等の液体分を効果的に吸収することができず、漏れを生じることにもなる。
【０００５】
本発明は、液体保持性の吸収体を使用者の股下部にフィットさせて人体から排出される液体分を効果的に吸収する機能を備えた、女性用として有用なショーツ型吸収性物品を提供することを目的とする。
【０００６】
【課題を解決するための手段】
本発明は、液透過性のトップシートと、液不透過性のバックシートと、両シート間において少なくとも着用時における股下部相当位置に配設される液体保持性の吸収体とを具備し、レッグ部に腹側レッグ部弾性部材と背側レッグ部弾性部材とが配されている女性用ショーツ型吸収性物品であって、上記股下部相当位置において、上記吸収体の上記バックシート側に、上記吸収体の長手方向と垂直な方向に直線状に延長させて、少なくとも１本の吸収部弾性部材を、上記吸収体及びこれの両側に位置する上記腹側レッグ部弾性部材と背側レッグ部弾性部材と交差させて配置すると共に、その両端部を上記腹側レッグ部弾性部材と背側レッグ部弾性部材とに接合固着し、且つ上記吸収部弾性部材が交差する部分における上記吸収体の交差方向中央部分の坪量が、その両側部分の坪量よりも高くなっている女性用ショーツ型吸収性物品を提供することにより、上記目的を達成したものである。
【０００７】
【発明の実施の形態】
本発明の好ましい実施形態に係る女性用ショーツ型吸収性物品１０は、図１に示すように、ショーツとして女性の身体に直接装着されて、生理用ナプキン、失禁用、産褥用等として用いられるものである。
【０００８】
そして、この女性用ショーツ型吸収性物品１０は、図２及び図３に示すように、着用時における内側すなわち肌当接面側に位置する液透過性のトップシート１１と、着用時における外側に位置する液不透過性のバックシート１２と、両シート１１，１２間において着用時における股下部相当位置に配設される実質的に縦長の液体保持性の吸収体１３とからなるもので、腹側部１４の左右両側縁部１５と背側部１６の左右両側縁部１７とを接合部１８において各々接合することにより、図１に示すような女性用ショーツ型に形成されるものである。
【０００９】
また、この女性用ショーツ型吸収性物品１０は、図２における上下の端部に位置するウエスト部には、ウエストギャザー１９を形成するゴム紐等からなる５本のウエスト部弾性部材２０が各々配されているとともに、図２における湾曲凹部２３に位置するレッグ部には、レッグギャザー２１を形成する、ゴム紐等からなる３本の腹側レッグ部弾性部材２２ａと３本の背側レッグ部弾性部材２２ｂとが配されている。
【００１０】
ここで、各ウエスト部弾性部材２０は、図２の上下の端縁部に沿って互いに平行に直線状に延長し、その両端が腹側部１４の側縁部１３及び背側部１６の側縁部１７に各々位置している。一方、各腹側レッグ部弾性部材２２ａは、その両端が腹側部１４の側縁部１５に位置し、湾曲凹部２３に沿って延長するとともに、吸収体１３の外側を覆うバックシート１２に沿って吸収体１３と交差しながら延長することにより、腹側部１４から吸収体１３の長手方向背側部１６に向かって凸となる湾曲形状で、互いに平行に延長配置されている。また各背側レッグ部弾性部材２２ｂは、その両端が背側部１６の側縁部１７に位置し、湾曲凹部２３に沿って延長するとともに、バックシート１２に沿って吸収体１３と交差しながら延長することにより、背側部１６から吸収体１３の長手方向腹側部１４に向かって凸となる湾曲形状で、互いに平行に延長配置されている。
【００１１】
なお、腹側レッグ部弾性部材２２ａと背側レッグ部弾性部材２２ｂの互いに反対方向に向かった凸形形状は、交差することなく互いに近接し、またこの近接部分は、図２の展開図における長手方向を２分する位置より腹側部１４側にずれていることにより、装着状態において、吸収体１３を股下直下部分に効果的にフィットさせることができるようになっている。
【００１２】
そして、本実施形態によれば、さらに、吸収体１３及びこの吸収体１３を挟んだ両側に位置する腹側レッグ部弾性部材２２ａあるいは背側レッグ部弾性部材２２ｂと交差するようにして、ゴム紐等からなる各３本の吸収部弾性部材２８が、腹側部１４及び背側部１６の吸収体１３の外側を覆うバックシート１２に沿って、吸収体１３の長手方向と垂直な方向に互いに平行に直線状に延長配置されて、吸収体ギャザー２５を形成する。ここで、各吸収部弾性部材２８は、その両端部が、腹側レッグ部弾性部材２２ａあるいは背側レッグ部弾性部材２２ｂに接合固着されると共に、これらのレッグ部弾性部材２２ａ，２２ｂと交差するようにして、その先端が湾曲凹部２３の縁部に向けてさらに延長している。
【００１３】
なお、液透過性のトップシート１１や液不透過性のバックシート１２は、従来のパンツ型の使い捨ておむつに使用されていたものと同様のもので、これらの間に、熱溶着やホットメルト剤等を介して、縦長の吸収体１３を、着用時における股間部相当部分や臀部あるいはこれらの周囲を覆い得る位置に固着した状態で、その周縁部分を熱溶着などにより接合して一体化されている。
【００１４】
また、吸収体１３は、生理用ナプキン、失禁用パッド、おむつ等に採用される、フラッフパルプ、吸収紙、高吸収性ポリマー等の、従来より吸収体を構成する材料として公知のものを用いて形成することができ、これを必要に応じて液透過性の表面シートや液不透過性の裏面シートで覆って使用する。
【００１５】
また本実施形態では、吸収体１３は、吸収部弾性部材２８と交差する部分を含む箇所において、その中央帯状部分１３ａの坪量が、装着時における股下部側に突出するようにして、その両側部分の坪量よりも高くなっていて（図３参照）、装着時において、股間部や臀部におけるさらに良好なフィット感が得られ、加えて吸収性能も向上する。
【００１６】
本実施形態の女性用ショーツ型吸収性物品１０では、腹側部１４の左右両側縁部１５と背側部１６の左右両側縁部１７との接合は、熱溶着やホットメルト剤等のシール手段によって行うことができる。
【００１７】
また、吸収体１３の取付部位を挟んだ両側に位置する腹側レッグ部弾性部材２２ａあるいは背側レッグ部弾性部材２２ｂの間には、バックシート１２に延長配置された吸収部弾性部材２８の弾性によって吸収体ギャザー２５が形成される。
【００１８】
そして、本実施形態の女性用ショーツ型吸収性物品１０によれば、女性が装着する際に、ウエスト開口部２６のウエストギャザー１９やレッグ開口部２７のレッグギャザー２１が身体にフィットして心地よく着用することができるとともに、特に、吸収部弾性部材２８を備えることにより、これがその弾性により収縮するようにして、吸収体１３を外側面のバックシート１２から股下部側に押し付けるように作用するので、吸収体１３を股下部に良好に密着フィットさせることになる。
【００１９】
本発明は上記実施形態に限定されるものではなく種々の変更が可能である。例えば、トップシート１１とバックシート１２との間には、股下部や臀部に相当する位置のみならず、その他の部分にも、吸収体等を適宜配設することができ、また、腹側レッグ部弾性部材２２ａと背側レッグ部弾性部材２２ｂは、分割することなく、各レッグ部に沿って各々連続延長する弾性部材によって構成することもできる。さらに、バックシートの外側にはこれを覆って例えば外装不織布シートを設けることもでき、この外装不織布シートとバックシートとの間に吸収部弾性部材を配置することもできる。また、腹側レッグ部弾性部材２２ａと背側レッグ部弾性部材２２ｂとは吸収体１３上で交差してもよい。さらに、吸収部弾性部材を腹側レッグ部弾性部材２２ａと背側レッグ部弾性部材２２ｂに交差させる態様には、吸収部弾性部材の先端部を腹側レッグ部弾性部材２２ａと背側レッグ部弾性部材２２ｂにおいて固着するような態様も含まれ、吸収部弾性部材は、図１のように吸収体の長手方向と垂直に配設する必要は必ずしもなく、例えば湾曲させて配設したり、複数本の吸収部弾性部材をＸを描くように交差配設することもできる。
【００２０】
【発明の効果】
本発明の女性用ショーツ型吸収性物品によれば、股下部相当位置において、少なくとも１本の吸収部弾性部材を、吸収体及びこれの両側に位置する腹側レッグ部弾性部材２２ａと背側レッグ部弾性部材２２ｂと交差させて、吸収体のバックシート側に直線状に配置し、両端部を上記レッグ弾性部材に接合固着し、且つ吸収部弾性部材が交差する部分における吸収体の交差方向中央部分の坪量が、その両側部分の坪量よりも高くなっているているので、両側のレッグ弾性部材間に直線状に延長配置された吸収部弾性部材の弾性により液体保持性の吸収体を使用者の股下部に良好にフィットさせて、人体から排出される液体分を効果的に吸収することができる。
【図面の簡単な説明】
【図１】本発明の一実施形態に係る女性用ショーツ型吸収性物品を示す斜視図である。
【図２】本発明の一実施形態に係る女性用ショーツ型吸収性物品を展開状態で示す肌当接面側からみた平面図である。
【図３】図２のＡ−Ａ断面図である。
【符号の説明】
１０  女性用ショーツ型吸収性物品
１１  トップシート
１２  バックシート
１３  吸収体
１４  腹側部
１５  側縁部（腹側部）
１６  背側部
１７  側縁部（背側部）
１８  接合部
１９  ウエストギャザー
２０  ウエスト部弾性部材
２１  レッグギャザー
２２ａ  腹側レッグ部弾性部材
２２ｂ  背側レッグ部弾性部材
２３  湾曲凹部
２５  吸収体ギャザー
２８  吸収部弾性部材
【図１】
0004010676.tif 000002
【図２】
0004010676.tif 000003
【図３】
0004010676.tif 000004